(57)【特許請求の範囲】
【請求項１】
対面型キッチンにおけるキッチンカウンター（２）とレンジフード（５）間に配設される連結板（１０）が、周囲に枠を有さない平板状の透明又は透光性を有する矩形部材であって、前記キッチンカウンター（２）と前記レンジフード（５）のそれぞれに横フレーム（１１）を取り付け、該横フレーム（１１）の溝（１１２１）内に断面コ字状のガスケット（１３）を嵌入して、前記ガスケット（１３）の断面コ字状の狭持片（１３１）間で前記連結板（１０）を挟み込んで固定し、前記横フレーム（１１）の端部にはサイドキャップ（１２）を設けた対面型キッチンであって、前記横フレーム（１１）は、基体固定枠（１１１）と連結板フレーム(１１２)からなり、前記基体固定枠（１１１）は断面Ｌ字状で端部に段部（１１１４）を有し、前記連結板フレーム（１１２）は溝（１１２１）の一方の起立片（１１２２）の先端部が断面鉤状の係止部（１１２４）を有しており、前記段部（１１１４）に前記係止部（１１２４）を係止させて基体固定枠（１１１）に連結板フレーム（１１２）を取付具（１１１３）にて固定することを特徴とする対面型キッチン。
【請求項２】
前記基体固定枠（１１１）のレンジフード（５）又はキッチンカウンター（２）への取り付けは、前記基体固定枠（１１１）とレンジフード（５）又はキッチンカウンター（２）間に軟質素材からなる板状パッキン（１５）を配設し、該基体固定枠（１１１）の反対側に基体裏板（１４）を配設して、固定具（１１１２）にてレンジフード（５）またはキッチンカウンター（２）に螺着固定する構造であって、前記固定具（１１１２）を挿通する基体裏板（１４）の裏板穴（１４１）は該固定具（１１１２）の頭部外径より小さく軸部が挿通可能な内径であり、基体固定枠（１１１）に設けた固定穴（１１１１）は基体裏板（１４）を介して前記固定具（１１１２）が係止可能な内径で軸部との間に位置調整可能な大きさの隙間を有することを特徴とする請求項１に記載の対面型キッチン。
【請求項３】
前記基体固定枠（１１１）、連結板フレーム（１１２）、ガスケット（１３）は、レンジフード（５）側とキッチンカウンター（２）側で兼用でき、基体固定枠（１１１）及び連結板フレーム（１１２）は長尺の金属製押出成形材であり、前記ガスケット（１３）は狭持片（１３１）の先端側が軟質樹脂（１３１b）で奥側が硬質樹脂（１３１a）よりなることを特徴とする請求項１または２に記載の対面型キッチン。
【発明の詳細な説明】
【技術分野】
【０００１】
本発明は、キッチンカウンターとレンジフードとの間に配設される連結板（仕切り板）を有する対面型キッチンに関する。
【背景技術】
【０００２】
従来、アイランド型とかペニンシュラ型等と呼ばれるオープン型の対面型キッチンでは、調理中に加熱器の周辺から発生する油煙がダイニング側に流れ込むのを防ぐために、キッチンカウンターとレンジフードとの間に仕切り用の連結板が設けられている。
例えば、特許文献１には、キッチンのコンロ（加熱器）の奥方においてワークトップ（キッチンカウンター）とレンジフードとの間に取り付けられる仕切りが矩形状の仕切り板（連結板）を囲むように保持する枠フレームと、枠フレームとワークトップとの間に介在して枠フレームの高さ位置を調整するための高さ調整部材と、高さ調整部材を覆うためのカバー部材と、枠フレームをワークトップに取り付けるための取付け具と、枠フレームをレンジフードに連結するための連結具とを備えたコンロ前の仕切りが開示され、ワークトップとレンジフードとの高さ方向の間隔が設計通りに施工されていなくても、レンジフードとの間の隙間を生じさせることがなく取り付けることができる技術が紹介されている。
【先行技術文献】
【特許文献】
【０００３】
【特許文献１】特開２００８−２７５２２１号公報
【発明の概要】
【発明が解決しようとする課題】
【０００４】
しかしながら、特許文献１に記載のコンロ前仕切りを有する対面型キッチンにあっては、レンジフードとの間に隙間を生じさせないものの、キッチンカウンターとの間にアジャスタやカバー部材が必要であり構造が複雑で更なる改善が望まれると共に、仕切り板を囲むように保持する枠フレームが設けてあり、枠に嵌め殺しされた仕切り板であるため、該仕切り板が透明であっても縦フレームによりキッチンとダイニング間のオープン性が損なわれ、また、仕切り板に疵が付いた場合の仕切り板の交換やイラスト入りの仕切り板に取り替えることが困難であった。
【０００５】
この発明は、このような問題点に着目してなされたもので、対面型キッチンにおけるキッチンカウンターとレンジフードとの間に配設される矩形連結板の取り付けが容易で、取替えが出来ると共に、キッチン作業者に与える閉塞感を極力少なくして、開放感に優れ見栄えの良い対面型キッチンを提供することを目的とする。
【課題を解決するための手段】
【０００６】
前記課題を解決するために、請求項１に記載の本発明は、対面型キッチンにおけるキッチンカウンターとレンジフード間に配設される連結板が、周囲に枠を有さない平板状の透明又は透光性を有する矩形部材であって、前記キッチンカウンターと前記レンジフードのそれぞれに横フレームを取り付け、該横フレームの溝内に断面コ字状のガスケットを嵌入して、前記ガスケットの断面コ字状の狭持片間で前記連結板を挟み込んで固定し、前記横フレームの端部にはサイドキャップを設けた対面型キッチンであって、前記横フレームは、基体固定枠と連結板フレームからなり、前記基体固定枠は断面Ｌ字状で端部に段部を有し、前記連結板フレームは溝の一方の起立片の先端部が断面鉤状の係止部を有しており、前記段部に前記係止部を係止させて基体固定枠に連結板フレームを取付具にて固定することを特徴とするものである。
この発明によれば、幅方向に不透明な縦枠が存在しないため、開放感が増し圧迫感を低減できる。また、連結板を側方から挿入して配置することが容易あり、またサイドキャップで連結フレームの端部を覆い隠すことができ見栄えがよい。また、連結板フレームの溝深さを深くしクリアランスを大きくしてやると、レンジフードとキッチンカウンターとの高さ方向の間隔が設計通りに施工されていなくても、レンジフードとの間の隙間をレンジフード側の連結フレームの起立片で隠すことができ、更にクリアランスが大きいことで連結板の設置や取替えが容易に行なうことができる。またネジ等の取付具で螺着固定するため、連結板の取り付けが容易で、また取り付けた後に取り替えることができるとともに、段部と係止部の係合構造によりガタが無く頑丈に取り付けることができる。
【０００８】
更に、請求項２に記載の発明は、請求項１に記載の発明を技術的前提とし、前記基体固定枠のレンジフード又はキッチンカウンターへの取り付けは、前記基体固定枠とレンジフード又はキッチンカウンター間に軟質素材からなる板状パッキンを配設し、該基体固定枠の反対側に基体裏板を配設して、固定具にてレンジフードまたはキッチンカウンターに螺着固定する構造であって、前記固定具を挿通する基体裏板の裏板穴は該固定具の頭部外径より小さく軸部が挿通可能な内径であり、基体固定枠に設けた固定穴は基体裏板を介して前記固定具が係止可能な内径で軸部との間に位置調整可能な大きさの隙間を有する。
この発明によれば、請求項１に記載の効果に加え、基体固定枠とレンジフード又はキッチンカウンターの間に軟質素材からなる板状パッキンを配設したので、木ネジ等の固定具で螺着固定する場合に板状パッキンの弾性で確実に固定できキッチンカウンター又はレンジフードの被取付け面に疵を付けることを防止するとともに、固定具を介してキッチンカウンター内に水滴が侵入することを防止でき、更に、基体固定枠に設けた固定穴が固定具の軸部との間に位置調整可能な隙間を有するため、基体固定枠の平面方向位置合わせが容易となる効果を有する。
【０００９】
また、更に請求項３に記載の発明は、請求項１または２に記載の発明を技術的前提とし、
前記基体固定枠、連結板フレーム、ガスケットは、レンジフード側とキッチンカウンター側で兼用でき、基体固定枠及び連結板フレームは長尺の金属製押出成形材であり、前記ガスケットは挟持片の先端側が軟質樹脂で奥側が硬質樹脂よりなる。
この発明によれば、請求項１または２の効果に加え、レンジフード側とキッチンカウンター側で諸部材が兼用でき連結板を取付ける部材点数を減らし標準化ができる。また、ガスケットの先端が軟質樹脂で奥側が硬質樹脂で構成しているため、硬質樹脂の摺動性により連結板を側方から押込み設置しやすく、先端部が軟質素材で連結板を挟持できるため連結板との密着性に優れゴミなどが侵入し難い効果を有する。
【図面の簡単な説明】
【００１０】
【図１】本発明の一実施例である対面型キッチンを示す斜視図である。
【図２】図１における連結板取付部材の分解斜視図である。
【図３】図１における連結板取付け部の縦断面模式図である。
【図４】横フレームの他の実施例を示す連結板取付け部の縦断面模式図である。
【図５】図１における要部正面模式図とサイドキャップ説明図である。
【発明を実施するための形態】
【００１１】
本発明に係る対面型キッチンを実施するための形態を実施例に基づいて以下に説明する。
【実施例】
【００１２】
実施例に係る対面型キッチン１につき、図１から図５を参照して説明する。以下、図１の紙面右上側、図２の紙面左上側、及び図３、図４の紙面左側をキッチンの正面側（手前側）とし、キッチンの正面側に使用者が立って左右側をキッチンの左右側とし、キッチンを挟んで向こう側がダインング側として説明する。
【００１３】
図１の符号１は、本発明における対面型キッチン１である。図１に示すように、この対面型キッチン１は、シンク３や加熱器４を備えており、使用者が調理等を行なうために加熱器レベルと略同じ高さに調理作業面であるキッチンカウンター２を備えている。本実施例では対面型キッチン１の奥側のダイニング側にもキッチンカウンター２が設けてあり、加熱器レベルよりも一段高く補助カウンタとして使用され、両方とも本発明のキッチンカウンター２に相当する。
【００１４】
この対面型キッチン１は、キッチン側の使用者の左端部を室内の壁面に当接させて配置し、壁面から水平方向に突き出たペニンシュラ型のレイアウトを構成したり、室内に単独で配置されるアイランド型のレイアウト等に構成させて設置される。
【００１５】
本実施例の対面型キッチン１には、図１に示す如く、加熱器４で煮炊きした時に発生する蒸気や油分などが混入した排気を室外に吸引除去するために、加熱器４の上部にはレンジフード５が設置されている。そして、加熱器４からの排気がダイニング側に流れるのを防ぎ、排気を効率的に吸引排気させるための仕切り板としての連結板１０が、加熱器４奥側の一段高いキッチンカウンター２とレンジフード５との間に設けられている。
【００１６】
連結板１０は、周囲に枠を有さない平板状の透明または透光性の矩形部材で、透明ガラス、擦りガラスやポリカーボネート等の樹脂で、耐火または耐熱性能を有する材質が使用され、連結板１０表面にはイラスト等の図柄があってもよい。連結板１０は、キッチンカウンター２側とレンジフード５側の上下にそれぞれ横フレーム１１を取付け、横フレーム１１の溝１１２１内に断面コ字状のガスケット１３を嵌入して、そのガスケット１３の断面コ字状の狭持片１３１の間に連結板１０の上下の両端を挟み込んで固定される。また、横フレーム１１の左右端部には横フレーム１１の端部を隠すようにサイドキャップ１２が設けられる。
【００１７】
図２、図３を用いて連結板１０の取付構造を更に詳細に説明する。連結板１０のキッチンカウンター２側とレンジフード５側では略対称な構造であるため、連結板１０の下端でキッチンカウンター側の構造にて説明する。図２に示す如く、連結板１０の連結部材は、板状パッキン１５、基体固定枠１１１、基体裏板１４、連結板フレーム１１２、ガスケット１３と両側のサイドキャップ１２により構成される。基体固定枠１１１と連結板フレーム１１２は一体成形されたものでもよく、一体化されたものを横フレーム１１と呼び、その詳細は後述し、ここでは個別の連結部材として扱った場合で説明する。
【００１８】
板状パッキン１５は、ゴム、樹脂等の軟質材料でキッチンカウンター２と基体固定枠１１１のとの間に配置される細長い平板形状をしており、基体固定枠１１１をキッチンカウンター２に固定具１１１２にて螺着固定した場合に、基体固定枠１１１とキッチンカウンター２間を軟質材料の弾性で水密固定させて、固定具１１１２を伝って水滴などがキッチンカウンター２内部に侵入しないようにしている。そのため、板状パッキン１５は無孔の平板で、固定具１１１２である木ネジの先端を突き刺して貫通させ基体固定枠１１１とキッチンカウンター２を固定する。
【００１９】
基体固定枠１１１は、縦断面形状がＬ字状のアルミニウム押出し成形品で、キッチンカウンター面には、キッチンカウンター２に固定するための固定穴１１１１を複数設けており、起立側にも連結板フレーム１１２を取り付けるための取付穴１１２８と、連結板１０を止めねじ１１２６で締め付け固定するための締付穴１１２７が設けてあり、起立側の先端端部にはキッチン側面から一段奥まるように段部１１１４を設け、連結板フレーム１１２の起立片１１２２の先端の断面鉤状の係止部１１２４を係止させる構造としている。
この場合、基体固定枠１１１の起立側がキッチン側に来るように設置され、キッチン側面を平らにするべく、段部１１１４に係止させた連結板フレーム１１２の係止部１１２４の鉤状厚みは該段部１１１４の奥行厚みと略同じ厚みとし、キッチン側面がほぼ面一になるようにしている。また、取付穴１１２８は、座ぐり穴であり、取付具１１１３である皿ネジで連結板フレーム１１２を取り付けた場合に取付具１１１３の頭部がキッチン側面から突出させないようにしている。また、締付穴１１２７は締付具１１２６である止ねじ用であるため内面はねじ山がタップされている。
【００２０】
また、キッチンカウンター２に基体固定枠１１１を固定するための固定穴１１１１は、固定具１１１２の軸径に対して十分大きくして、基体固定枠１１１が左右前後に位置調整可能な内径としており、実施例では３箇所に設けている。そして、基体固定枠１１１のキッチンカウンター２への固定は、基体固定枠１１１の下面に板状パッキン１５を配置し、上面に基体裏板１４を配して、基体裏板１４の裏板穴１４１から固定具１１１２である木ねじを挿通させて基体固定枠１１１をキッチンカウンター２に螺着する。この場合に基体裏板１４の裏板穴１４１は木ねじの頭部外径より小さく木ねじの軸部が挿通可能な内径であるため、木ねじの頭部が基体裏板１４に係止した状態で基体固定枠１１１をキッチンカウンター２に押圧固定させることができる。また、固定穴１１１１は固定具１１１２の軸径よりも大きくしているため、螺着途中において基体固定枠１１１を所定位置に位置調整させながら位置決めすることが容易である。
【００２１】
次いで、連結板フレーム１１２について説明する。連結板フレーム１１２は、縦断面形状が非対称なH字状のアルミニウム押出し成形品で、前後に起立片１１２２と垂下片１１２３を有し、起立片１１２２と垂下片１１２３の中間部位で前後に連結されている。前後の起立片１１２２の間には溝１１２１が形成され、キッチン側の起立片１１２２の先端は、断面鉤状の係止部１１２４を有し、基体固定枠１１１の段部１１１４に係止できる構造となっている。また、キッチン側面の起立片１１２２には内部にねじ山がタップされた締付穴１１２７と、基体固定枠１１１に螺着して取り付けるためのねじ山がタップされた取付穴１１２８が、連結板フレーム１１２の長手方向に複数個設けられている。また、起立片１１２２と垂下片１１２３の中間部位には一部が開口した円形状のキャップ被取付部１１２５が形成されている。
【００２２】
垂下片１１２３は、キッチン側が短くてダイニング側が長くなっており、ダイニング側の垂下片１１２３の長さは、基体固定枠１１１のキッチンカウンター２取付面の端部を隠す程度に長くキッチンカウンター２にほぼ当接する長さとなっている。さらに、ダイニング側に面する起立片１１２２と垂下片１１２３は見栄えをよくするために面一で平坦面を構成し、取付穴１１２８や締付穴１１２７は全てキッチン側面に配置している。
【００２３】
上記の説明では、基体固定枠１１１と連結板フレーム１１２を個々に構成する場合について説明したが、基体固定枠１１１と連結板フレーム１１２とが一体成形された横フレーム１１とすることが部品点数を減らすためには有効である。図４にその横フレーム１１を用いた場合の連結板取付け部の縦断面模式図を示す。横フレーム１１は、縦断面がコ字状の形状であり、内部の中間部にはキャップ被取付部１１２５が内側に向けて突設されとおり、キャップ取付機能とともに該キャップ被取付部１１２５の上面は後述のガスケット１３の挿入位置規制機能を兼ね備え、キャップ被取付部１１２５の上部と前後の起立片１１２２で溝１１２１を構成している。前述の基体固定枠１１１と連結板フレーム１１２とを分離した構成に比べると、当然のことであるが一体化されているため取付穴が不要となっており、締付穴１１２７と固定穴１１１１が横フレーム１１の長手方向に複数箇所に穿孔されている。固定穴１１１１は横フレーム１１の上部開口部分に向けて開放されており、基体裏板１４や固定具１１１２を上部開口部分から挿入して、キッチンカウンター２に横フレーム１１を螺着固定する。横フレーム１１の固定穴１１１１も前述の如く、固定穴１１１１は固定具１１１２の軸径よりも大きくしているため、螺着途中において横フレーム１１を所定位置に位置調整させながら位置決めすることが容易である。
【００２４】
次に、ガスケット１３について説明する。図３、図４に示すように、ガスケット１３も縦断面コ字状の形状であり、前後の狭持片１３１が底部で連結された樹脂成形品で、狭持片１３１の先端部が軟質樹脂１３１bで底部を含むその他部分が硬質樹脂１３１aを注入して製造される長尺の２種材一体成形品である。底部分の前後幅は横フレーム１１又は連結板フレーム１１２の溝１１２１の前後長さにほぼ等しく、該溝１１２１に押込み装着するように構成されている。狭持片１３１の軟質樹脂１３１b部分は先端部分が前後方向に若干膨らんだ形状でガスケット１３の外側下方に向けて傾斜させており、横フレーム１１又は連結板フレーム１１２の起立片１１２２の先端を覆い連結板１０の前後両面に密着させて連結板１０と軟質樹脂１３１bの接触面にゴミなどが付着または侵入しないように考慮されている。このように構成することで、ガスケット１３の横フレーム１１又は連結板フレーム１１２への取り付けは、ガスケット１３の底部が硬質樹脂１３１aであるため滑りやすく、また、このガスケット１３で挟持させる連結板１０の横からの挿入も摺動性に富んでいるため、連結板１０を押し込み易い。
【００２５】
図５には、レンジフード５とキッチンカウンター２間に取り付けられた連結板１０の要部正面模式図とサイドキャップ説明図を示している。サイドキャップ１２は硬質樹脂製の板状成形体であり、キャップ取付穴１２２が穿孔されており、キャップ取付穴１２２にキャップ取付具１２１を挿通して、横フレーム１１又は連結板フレーム１１２のキャップ被取付部１１２５に螺着固定する構造としている。板状成形体であるサイドキャップ１２は横フレーム１１に連結板１０を挿入して設置した後に、その横フレーム１１端部を覆い隠すものであり、取り付け修了後のガスケット１３、横フレーム１１（又は連結板フレーム１１２と基体固定枠１１１）の端部を隠す大きさの形状である。
【００２６】
以上、横フレーム１１（基体固定枠１１１、連結フレーム）、ガスケット１３等について説明してきたが、横フレーム１１（基体固定枠１１１、連結フレーム）はキッチンカウンター２側にもレンジフード側にも兼用できる金属製押出成形材であり、ガスケット１３も両方に兼用できる樹脂成形品である。
次いで、連結板１０の取付け方法の一例について以下説明する。
【００２７】
まず、本発明の対面型キッチン１を設置するにあたり、レンジフード５を所定箇所に室内の天井から吊下げ固定するとともに、レンジフード５の下方に加熱器４が位置するように対面型キッチン１を設置する。
基体固定枠１１１の裏面に板状パッキン１５を両面テープ等で部分的に貼り付け、その基体固定枠１１１を取付穴１１２８のある面をキッチン側に向けてレンジフード５のダイニング側の下面に配置し、基体裏板１４の裏板穴１４１に固定具１１１２の軸部を相通した状態で、基体固定枠１１１の固定穴１１１１に固定具１１１２を挿通して複数箇所に螺着固定して、レンジフード５下面に基体固定枠１１１を取り付ける。
次いで、基体固定枠１１１の段部１１１４に連結板フレーム１１２の係止部１１２４を係止させ、取付具１１１３にて基体固定枠１１１に連結板フレーム１１２を螺着固定し、その連結板フレーム１１２の溝１１２１内にガスケット１３を押込みセットする。
【００２８】
一方、キッチンカウンター２側には、先に取り付けたレンジフード５側の基体固定枠１１１に対向させて、レンジフード５側の取付け手順と同様にキッチンカウンター面に基体固定枠１１１を螺着固定する。この場合に、レンジフード側と下げ振り具等で位置合わせしながら螺着固定するが、固定穴１１１１が固定具１１１２の軸径よりも大きく成形されているため、左右前後の微小位置合わせが容易にできる。基体固定枠１１１、連結板フレーム１１２、そして、ガスケット１３を順次取り付けキッチンカウンター２側の部材取り付けを終了させる。
【００２９】
次いで、レンジフード５側とキッチンカウンター２側のガスケット１３の狭持片１３１間に、側方から連結板１０を挿入し左右端を一致させた後に、キッチン側からキッチンカウンター２側の複数の締付穴１１２７に止めねじ１１２６を締め付けて連結板１０の下端を固定し、同様にレンジフード５側も複数の止めねじ１１２６で連結板１０を締め付け固定する。このように側方から連結板１０を挿入固定するため、レンジフード５とキッチンカウンター２の間の距離が設計図よりも長くなって施工されていても、レンジフード５側のガスケット１３の狭持片１３１の長さの余裕代、すなわち間隙１６で、その誤差を吸収することができる。
【００３０】
そして、最後にレンジフード５側及びキッチンカウンター２側の基体固定枠１１１の端部の上下左右の四箇所にキャップ固定具１１１２にてサイドキャップ１２を取り付け、端部を覆い隠して連結板１０をレンジフード５とキッチンカウンター２間に容易に且つ取替え可能に取り付けることができる。
【００３１】
次に連結板１０の別の取付け方法について以下説明する。
レンジフード５を所定箇所に室内の天井から吊下げ固定するとともに、レンジフード５の下方に加熱器４が位置するように対面型キッチン１を設置する。
基体固定枠１１１の裏面に板状パッキン１５を両面テープ等で部分的に貼り付け、その基体固定枠１１１を取付穴１１２８のある面をキッチン側に向けてレンジフード５のダイニング側の下面に配置し、基体裏板１４の裏板穴１４１に固定具１１１２の軸部を挿入した状態で、基体固定枠１１１の固定穴１１１１に固定具１１１２を挿通して複数箇所に螺着固定して、レンジフード５の下面に基体固定枠１１１を取り付ける。また、キッチンカウンター２側には、先に取り付けたレンジフード５側の基体固定枠１１１に対向させて、レンジフード５側の取り付け手順と同様にキッチンカウンター面に基体固定枠１１１を螺着固定する。までは前記取り付け方法と同様である。
【００３２】
次いで、連結板１０の上下端部に間隙１６がない状態、即ち最も高さ寸法が小さい状態でガスケット１３で連結板１０を挟み込み、更に連結板フレーム１１２をガスケット１３が装着された上から嵌入する。そして、連結板フレーム１１２までが装着された連結板１０をダイニング側から、先ずキッチンカウンター２側の基体固定枠１１１の段部１１１４と連結板フレーム１１２の係止部１１２４とを係合させ、次にレンジフード５側の基体固定枠１１１の段部１１１４と連結板フレーム１１２の係止部１１２４とを係合させる。このときガスケット１３を間隙がない状態で装着しているため、係止部１１２４は段部１１１４を乗り越えることができ、乗り越えた後にレンジフード５側のガスケット１３と連結板フレーム１１２を一緒に上方に持ち上げれば係止部１１２４と段部１１１４を係合できる。
【００３３】
レンジフード５及びキッチンカウンター２側において、取付具１１１３にて基体固定枠１１１に連結板フレーム１１２を螺着固定ののち、締付穴１１２７に止めねじ１１２６を締め付けて連結板１０を固定する。
【００３４】
最後にレンジフード５側及びキッチンカウンター２側の基体固定枠１１１の端部の上下左右の四箇所にキャップ固定具１１１２にてサイドキャップ１２を取り付け、端部を覆い隠す。
【００３５】
このように、連結板１０を側面から差し入れるスペースが十分取れない場合でも、ダイニング側から取り付け、または交換作業をおこなうことができる。
【００３６】
以上、本発明の実施例を図面により説明してきたが、具体的な構成はこれら実施例に限
られるものではなく、本発明の要旨を逸脱しない範囲における変更や追加があっても本発
明に含まれる。
【符号の説明】
【００３７】
１        対面型キッチン
２        キッチンカウンター
３        シンク
４        加熱器
５        レンジフード
１０      連結板
１１      横フレーム
１１１    基体固定枠
１１１１  固定穴
１１１２  固定具
１１１３  取付具
１１１４  段部
１１２    連結板フレーム
１１２１  溝
１１２２  起立片
１１２３  垂下片
１１２４  係止部
１１２５  キャップ被取付部
１１２６  締付具（止めねじ）
１１２７  締付穴
１１２８  取付穴
１２      サイドキャップ
１２１    キャップ取付具
１２２    キャップ取付穴
１３      ガスケット
１３１    挟持片
１３１ａ  硬質樹脂
１３１ｂ  軟質樹脂
１４      基体裏板
１４１    裏板穴
１５      板状パッキン
１６      間隙
【図１】
0005578938.tif 000002
【図２】
0005578938.tif 000003
【図３】
0005578938.tif 000004
【図４】
0005578938.tif 000005
【図５】
0005578938.tif 000006